(57)【特許請求の範囲】
【請求項１】
ソーシャルネットワークユーザが投稿した情報ストリームには、設定時間帯内に投稿した、設定数以上のターゲット情報が存在しているか否かを判定するステップと、
前記ターゲット情報が存在していると判定した場合、所定の規則に従って前記ターゲット情報をターゲット情報群に集約するステップと、
前記ターゲット情報群を表示するステップと、を含み、
前記ターゲット情報群を表示するステップは、
前記ターゲット情報群のうち最近投稿した最新ターゲット情報を表示情報とし、前記最新ターゲット情報以外の他のターゲット情報を折り畳みまたは非表示するステップと、
前記最新ターゲット情報の投稿時間を前記ターゲット情報群の投稿時間とするステップと、
前記ターゲット情報群を投稿時間順に表示するステップと、を含むことを特徴とするソーシャルネットワーク情報ストリームの表示方法。
【請求項２】
所定の規則に従って前記ターゲット情報をターゲット情報群に集約するステップは、
前記ターゲット情報が、同一のユーザが投稿したものに属するか否かを判定するステップと、
前記ターゲット情報が、同一のユーザが投稿したものに属すると判定した場合、各前記ターゲット情報の投稿時間の間には、他のユーザが間隔情報を投稿したか否かを判定するステップと、
前記間隔情報を投稿したか否かの判定結果に応じて、前記ターゲット情報をターゲット情報群に集約するステップと、を含むことを特徴とする請求項１に記載の方法。
【請求項３】
前記間隔情報を投稿したか否かの判定結果に応じて、前記ターゲット情報をターゲット情報群に集約するステップは、
他のユーザが間隔情報を投稿していないと判定した場合、前記ターゲット情報を１つのターゲット情報群に集約するステップと、
他のユーザが間隔情報を投稿したと判定した場合、前記間隔情報によって隔てられた、２つ以上のターゲット情報をターゲット情報群に集約するステップと、を含むことを特徴とする請求項２に記載の方法。
【請求項４】
所定の規則に従って前記ターゲット情報をターゲット情報群に集約するステップは、
前記ターゲット情報が、同一のユーザが投稿したものに属するか否かを判定するステップと、
前記ターゲット情報が、同一のユーザが投稿したものに属しないと判定した場合、前記ターゲット情報の投稿方式を特定するステップと、
少なくとも異なる２ユーザから前記ターゲット情報が交互に投稿された場合、所属ユーザの違いによって、前記ターゲット情報をターゲット情報群にそれぞれ集約するステップと、を含むことを特徴とする請求項１に記載の方法。
【請求項５】
所定の規則に従って前記ターゲット情報をターゲット情報群に集約するステップは、
各前記ターゲット情報中の少なくとも１つのキーワードを抽出するステップと、
抽出された前記キーワードに基づいて、前記ターゲット情報の属性分類を特定するステップと、
前記属性分類の違いによって、同一の属性分類に属する２つ以上のターゲット情報をターゲット情報群に集約するステップと、を含むことを特徴とする請求項１に記載の方法。
【請求項６】
前記ターゲット情報群に含まれているターゲット情報の数を表示情報とするステップをさらに含むことを特徴とする請求項１に記載の方法。
【請求項７】
前記ターゲット情報群を表示するステップの後に、前記情報ストリームのうち集約されていない情報を表示するステップをさらに含むことを特徴とする請求項１に記載の方法。
【請求項８】
ソーシャルネットワークユーザが投稿した情報ストリームには、設定時間帯内に投稿した、設定数以上のターゲット情報が存在しているか否かを判定するためのターゲット情報判定モジュールと、
前記ターゲット情報が存在していると判定した場合、所定の規則に従って前記ターゲット情報をターゲット情報群に集約するための集約モジュールと、
前記ターゲット情報群を表示するための表示モジュールと、を備え、
前記表示モジュールは、
前記ターゲット情報群のうち最近投稿した最新ターゲット情報を表示情報とし、前記最新ターゲット情報以外の他のターゲット情報を折り畳みまたは非表示するための情報処理サブモジュールと、
前記最新ターゲット情報の投稿時間を前記ターゲット情報群の投稿時間とするための投稿時間特定サブモジュールと、
前記ターゲット情報群を投稿時間順に表示するための第１の表示サブモジュールとを備えることを特徴とするソーシャルネットワーク情報ストリームの表示装置。
【請求項９】
前記集約モジュールは、
前記ターゲット情報が、同一のユーザが投稿したものに属するか否かを判定するための第１の判定サブモジュールと、
前記ターゲット情報が、同一のユーザが投稿したものに属すると判定した場合、各前記ターゲット情報の投稿時間の間には、他のユーザが間隔情報を投稿したか否かを判定するための第２の判定サブモジュールと、
前記間隔情報を投稿したか否かの判定結果に応じて、前記ターゲット情報をターゲット情報群に集約するための集約サブモジュールと、を備えることを特徴とする請求項８に記載の装置。
【請求項１０】
前記集約サブモジュールは、
他のユーザが間隔情報を投稿していないと判定した場合、前記ターゲット情報を１つのターゲット情報群に集約するための第１の集約サブモジュールと、
他のユーザが間隔情報を投稿したと判定した場合、前記間隔情報によって隔てられた、２つ以上のターゲット情報をターゲット情報群に集約するための第２の集約サブモジュールとを備えることを特徴とする請求項９に記載の装置。
【請求項１１】
前記集約モジュールは、
前記ターゲット情報が、同一のユーザが投稿したものに属するか否かを判定するための第１の判定サブモジュールと、
前記ターゲット情報が、同一のユーザが投稿したものに属しないと判定した場合、前記ターゲット情報の投稿方式を特定するための投稿方式特定サブモジュールと、
少なくとも異なる２ユーザから前記ターゲット情報が交互に投稿された場合、所属ユーザの違いによって、前記ターゲット情報をターゲット情報群にそれぞれ集約するための集約サブモジュールと、を備えることを特徴とする請求項８に記載の装置。
【請求項１２】
前記集約モジュールは、
各前記ターゲット情報中の少なくとも１つのキーワードを抽出するためのキーワード抽出サブモジュールと、
抽出された前記キーワードに基づいて、前記ターゲット情報の属性分類を特定するための属性分類特定サブモジュールと、
前記属性分類の違いによって、同一の属性分類に属する２つ以上のターゲット情報をターゲット情報群に集約するための集約サブモジュールと、を備えることを特徴とする請求項８に記載の装置。
【請求項１３】
前記ターゲット情報群に含まれているターゲット情報の数を表示情報とするための表示情報特定モジュールをさらに備えることを特徴とする請求項８に記載の装置。
【請求項１４】
前記表示モジュールは、前記情報ストリームのうち集約されていない情報を表示するための第２の表示サブモジュールをさらに備えることを特徴とする請求項８に記載の装置。
【請求項１５】
プロセッサと、
プロセッサが実行可能な指令を記憶するためのメモリと、を備え、
前記プロセッサは、
ソーシャルネットワークユーザが投稿した情報ストリームには、設定時間帯内に投稿した、設定数以上のターゲット情報が存在しているか否かを判定し、
前記ターゲット情報が存在していると判定した場合、所定の規則に従って前記ターゲット情報をターゲット情報群に集約し、
前記ターゲット情報群を表示するように構成され、
前記ターゲット情報群を表示することは、
前記ターゲット情報群のうち最近投稿した最新ターゲット情報を表示情報とし、前記最新ターゲット情報以外の他のターゲット情報を折り畳みまたは非表示することと、
前記最新ターゲット情報の投稿時間を前記ターゲット情報群の投稿時間とすることと、
前記ターゲット情報群を投稿時間順に表示することと、を含むことを特徴とするサーバ。
【請求項１６】
プロセッサに実行されることにより、請求項１から請求項７の何れか一項に記載のソーシャルネットワーク情報ストリームの表示方法を実現することを特徴とするプログラム。
【請求項１７】
請求項１６に記載のプログラムが記録された記録媒体。
【発明の詳細な説明】
【技術分野】
【０００１】
本発明は、通信技術分野に関し、特に、ソーシャルネットワーク情報ストリームの表示方法、装置、サーバ、プログラム及び記録媒体に関する。
【背景技術】
【０００２】
ソーシャルネットワークソフトウェア（Ｓｏｃｉａｌ  Ｎｅｔｗｏｒｋ  Ｓｏｆｔｗａｒｅ、ＳＮＳ）の発展に従って、マイクロブログ、ＷｅＣｈａｔなどは、人々に愛用且つ常用される通信ツールとなっている。マイクロブログを例として、各ユーザは情報を投稿することができる上、他のユーザが投稿した情報を閲覧できる。ユーザのホームページには、通常、当該ユーザ及びそのフォローユーザの投稿した情報が表示される。
【０００３】
関連技術では、あるソーシャルネットワークユーザがある時間内に複数の情報を投稿したとき、画面を大きく占め、所謂「スパム（ｓｐａｍ）」が発生するため、他のユーザが投稿した情報を見ることが容易ではなく、情報を閲覧するユーザに対して良くないユーザ体験を与えてしまう。
【発明の概要】
【発明が解決しようとする課題】
【０００４】
これに鑑み、本発明は、関連技術では、ソーシャルネットワークユーザが設定時間帯内に複数の情報を投稿したときに、情報を閲覧する他のユーザの体験が悪くなるという課題を解決するために、ソーシャルネットワーク情報ストリームの表示方法、装置、サーバ、プログラム及び記録媒体を提供する。
【課題を解決するための手段】
【０００５】
本発明の実施例の第１の態様によれば、ソーシャルネットワーク情報ストリームの表示方法を提供する。前記方法は、ソーシャルネットワークユーザが投稿した情報ストリームには、設定時間帯内に投稿した、設定数以上のターゲット情報が存在しているか否かを判定するステップと、前記ターゲット情報が存在していると判定した場合、所定の規則に従って前記ターゲット情報をターゲット情報群に集約するステップと、前記ターゲット情報群を表示するステップと、を含む。
【０００６】
好ましくは、所定の規則に従って前記ターゲット情報をターゲット情報群に集約するステップは、前記ターゲット情報が、同一のユーザが投稿したものに属するか否かを判定するステップと、前記ターゲット情報が、同一のユーザが投稿したものに属すると判定した場合、各前記ターゲット情報の投稿時間の間には、他のユーザが間隔情報を投稿したか否かを判定するステップと、前記間隔情報を投稿したか否かの判定結果に応じて、前記ターゲット情報をターゲット情報群に集約するステップと、を含む。
【０００７】
好ましくは、前記間隔情報を投稿したか否かの判定結果に応じて、前記ターゲット情報をターゲット情報群に集約するステップは、他のユーザが間隔情報を投稿していないと判定した場合、前記ターゲット情報を１つのターゲット情報群に集約するステップと、他のユーザが間隔情報を投稿したと判定した場合、前記間隔情報によって隔てられた、２つ以上のターゲット情報をターゲット情報群に集約するステップと、を含む。
【０００８】
好ましくは、所定の規則に従って前記ターゲット情報をターゲット情報群に集約するステップは、前記ターゲット情報が、同一のユーザが投稿したものに属するか否かを判定するステップと、前記ターゲット情報が、同一のユーザが投稿したものに属しないと判定した場合、前記ターゲット情報の投稿方式を特定するステップと、少なくとも異なる２ユーザから前記ターゲット情報が交互に投稿された場合、所属ユーザの違いによって、前記ターゲット情報をターゲット情報群にそれぞれ集約するステップと、を含む。
【０００９】
好ましくは、所定の規則に従って前記ターゲット情報をターゲット情報群に集約するステップは、各前記ターゲット情報中の少なくとも１つのキーワードを抽出するステップと、抽出された前記キーワードに基づいて、前記ターゲット情報の属性分類を特定するステップと、前記属性分類の違いによって、同一の属性分類に属する２つ以上のターゲット情報をターゲット情報群に集約するステップと、を含む。
【００１０】
好ましくは、前記ターゲット情報群を表示するステップは、前記ターゲット情報群のうち最近投稿した最新ターゲット情報のキーポイント情報を抽出するステップと、前記最新ターゲット情報の前記キーポイント情報を表示情報として、前記最新ターゲット情報以外の他のターゲット情報を折り畳みまたは非表示するステップと、前記最新ターゲット情報の投稿時間を前記ターゲット情報群の投稿時間とするステップと、前記ターゲット情報群を投稿時間順に表示するステップと、を含む。
【００１１】
好ましくは、前記キーポイント情報は、前記ターゲット情報の要約、キーワード、または所属の属性分類を含む。
【００１２】
好ましくは、前記ターゲット情報群を表示するステップは、前記ターゲット情報群のうち最近投稿した最新ターゲット情報を表示情報とし、前記最新ターゲット情報以外の他のターゲット情報を折り畳みまたは非表示するステップと、前記最新ターゲット情報の投稿時間を前記ターゲット情報群の投稿時間とするステップと、前記ターゲット情報群を投稿時間順に表示するステップと、を含む。
【００１３】
好ましくは、前記方法は、前記ターゲット情報群に含まれているターゲット情報の数を表示情報とするステップをさらに含む。
【００１４】
好ましくは、前記ターゲット情報群を表示するステップの後に、前記方法は、前記情報ストリームのうち集約されていない情報を表示するステップをさらに含む。
【００１５】
本発明の実施例の第２の態様によれば、ソーシャルネットワーク情報ストリームの表示装置を提供する。前記装置は、ソーシャルネットワークユーザが投稿した情報ストリームには、設定時間帯内に投稿した、設定数以上のターゲット情報が存在しているか否かを判定するためのターゲット情報判定モジュールと、前記ターゲット情報が存在していると判定した場合、所定の規則に従って前記ターゲット情報をターゲット情報群に集約するための集約モジュールと、前記ターゲット情報群を表示するための表示モジュールとを備える。
【００１６】
好ましくは、前記集約モジュールは、前記ターゲット情報が、同一のユーザが投稿したものに属するか否かを判定するための第１の判定サブモジュールと、前記ターゲット情報が、同一のユーザが投稿したものに属すると判定した場合、各前記ターゲット情報の投稿時間の間には、他のユーザが間隔情報を投稿したか否かを判定するための第２の判定サブモジュールと、前記間隔情報を投稿したか否かの判定結果に応じて、前記ターゲット情報をターゲット情報群に集約するための集約サブモジュールとを備える。
【００１７】
好ましくは、前記集約サブモジュールは、他のユーザが間隔情報を投稿していないと判定した場合、前記ターゲット情報を１つのターゲット情報群に集約するための第１の集約サブモジュールと、他のユーザが間隔情報を投稿したと判定した場合、前記間隔情報によって隔てられた、２つ以上のターゲット情報をターゲット情報群に集約するための第２の集約サブモジュールとを備える。
【００１８】
好ましくは、前記集約モジュールは、前記ターゲット情報が、同一のユーザが投稿したものに属するか否かを判定するための第１の判定サブモジュールと、前記ターゲット情報が、同一のユーザが投稿したものに属しないと判定した場合、前記ターゲット情報の投稿方式を特定するための投稿方式特定サブモジュールと、少なくとも異なる２ユーザから前記ターゲット情報が交互に投稿された場合、所属ユーザの違いによって、前記ターゲット情報をターゲット情報群にそれぞれ集約するための集約サブモジュールとを備える。
【００１９】
好ましくは、前記集約モジュールは、各前記ターゲット情報中の少なくとも１つのキーワードを抽出するためのキーワード抽出サブモジュールと、抽出された前記キーワードに基づいて、前記ターゲット情報の属性分類を特定するための属性分類特定サブモジュールと、前記属性分類の違いによって、同一の属性分類に属する２つ以上のターゲット情報をターゲット情報群に集約するための集約サブモジュールとを備える。
【００２０】
好ましくは、前記表示モジュールは、前記ターゲット情報群のうち最近投稿した最新ターゲット情報のキーポイント情報を抽出するためのキーポイント情報抽出サブモジュールと、前記最新ターゲット情報の前記キーポイント情報を表示情報として、前記最新ターゲット情報以外の他のターゲット情報を折り畳みまたは非表示するための情報処理サブモジュールと、前記最新ターゲット情報の投稿時間を前記ターゲット情報群の投稿時間とするための投稿時間特定サブモジュールと、前記ターゲット情報群を投稿時間順に表示するための第１の表示サブモジュールとを備える。
【００２１】
好ましくは、前記キーポイント情報抽出サブモジュールにより抽出されたキーポイント情報は、前記ターゲット情報の要約、キーワード、または所属の属性分類を含む。
【００２２】
好ましくは、前記表示モジュールは、前記ターゲット情報群のうち最近投稿した最新ターゲット情報を表示情報とし、前記最新ターゲット情報以外の他のターゲット情報を折り畳みまたは非表示するための情報処理サブモジュールと、前記最新ターゲット情報の投稿時間を前記ターゲット情報群の投稿時間とするための投稿時間特定サブモジュールと、前記ターゲット情報群を投稿時間順に表示するための第１の表示サブモジュールとを備える。
【００２３】
好ましくは、前記装置は、前記ターゲット情報群に含まれているターゲット情報の数を表示情報とするための表示情報特定モジュールをさらに備える。
【００２４】
好ましくは、前記表示モジュールは、前記情報ストリームのうち集約されていない情報を表示するための第２の表示サブモジュールをさらに備える。
【００２５】
本発明の実施例の第３の態様によれば、サーバを提供する。前記サーバは、プロセッサと、プロセッサが実行可能な指令を記憶するためのメモリと、を備え、前記プロセッサは、ソーシャルネットワークユーザが投稿した情報ストリームには、設定時間帯内に投稿した、設定数以上のターゲット情報が存在しているか否かを判定し、前記ターゲット情報が存在していると判定した場合、所定の規則に従って前記ターゲット情報をターゲット情報群に集約し、前記ターゲット情報群を表示するように構成される。
【００２６】
本発明の実施例の第４の態様によれば、プロセッサに実行されることにより、本発明の実施例の第１の態様に記載のソーシャルネットワーク情報ストリームの表示方法を実現するプログラムを提供する。
【００２７】
本発明の実施例の第５の態様によれば、本発明の実施例の第４の態様に記載のプログラムが記録された記録媒体を提供する。
【発明の効果】
【００２８】
本開示の実施例による技術案は、以下の格別な作用効果を含むことができる。
【００２９】
本発明におけるサーバは、取得されたソーシャルネットワーク情報ストリームに対して、設定時間帯内に投稿した、設定数以上のターゲット情報が存在しているか否かを判定し、かつ、ターゲット情報が存在していると判定した場合、所定の規則に従ってターゲット情報をターゲット情報群に集約してから、ターゲット情報群を表示することができる。ターゲット情報をターゲット情報群に集約することにより、ユーザが短時間内に情報を大量に投稿した場合、多くの表示画面を占め、他のユーザに迷惑をかけるという課題を解決し、レイアウトの配置がより合理で美観となり、ユーザの閲覧体験が向上及び改善される。
【００３０】
本発明におけるサーバは、さらに、ターゲット情報が、同一のユーザが投稿したものに属するか否かを判定することができる上、ターゲット情報の投稿時間内に、他のユーザが間隔情報を投稿したか否かを判定し、かつ、判定結果の違いによって、ターゲット情報を集約することができる。ターゲット情報の投稿時間内に、他のユーザが間隔情報を投稿していない場合、ターゲット情報を１つのターゲット情報群に集約すれば良い。間隔情報を投稿した場合、間隔情報によって隔てられた、２つ以上のターゲット情報をターゲット情報群に集約する。これによって、間隔情報が存在している場合、若し、間隔情報によって隔てられたターゲット情報をターゲット情報群に集約すれば、ターゲット情報群の投稿時間を特定することが容易ではなく、ターゲット情報群と間隔情報の配列順序を特定することが容易ではないという課題がある。
【００３１】
本発明におけるサーバは、ターゲット情報群のものがどのユーザからのものであるかを表示するように、さらに、異なるユーザが投稿したターゲット情報をそれぞれ集約することができる。
【００３２】
本発明におけるサーバは、さらに、ターゲット情報中のキーワードを抽出し、かつ、キーワードに基づいてターゲット情報の属性分類を特定してから、属性分類の違いによって、ターゲット情報をそれぞれ集約することができる。ターゲット情報を属性分類に基づいて集約することにより、ユーザは興味がある分野の情報を便利に見ることができ、他の興味がない情報から影響されない。
【００３３】
本発明におけるサーバは、ターゲット情報群及び集約されていない情報の表示方式をも改善しており、最近投稿したターゲット情報のキーポイント情報のみを表示し、他の情報を折り畳みまたは非表示することにより、ターゲット情報群が占める画面スペースを有効に節約することができ、「スパム」が他のユーザに迷惑をかけることはないし、要約キーワードなどの情報のみを表示するため、レイアウトの配置がより合理で美観となり、他のユーザがターゲット情報群を選択的に展開して見るか否かのことが便利となる。
【００３４】
本発明におけるサーバは、ターゲット情報群のうち最近投稿した情報の内容が多くない場合、当該最新ターゲット情報の全ての内容を表示し、他のターゲット情報を折り畳みまたは非表示することで、他のユーザが最新ターゲット情報の全ての内容を見ることができる。
【００３５】
上述した一般的な記述および後続の詳細な記述は、単に例示的および解釈的なものであり、本発明を制限できるものでないと理解されるべきである。
【図面の簡単な説明】
【００３６】
【図１】本発明のある例示的な実施例に係るソーシャルネットワーク情報ストリームの表示方法を示すフローチャートである。
【図２Ａ】本発明のある例示的な実施例に係るソーシャルネットワーク情報ストリームの表示アプリケーションシーンを示す模式図である。
【図２Ｂ】本発明のある例示的な実施例に係る別のソーシャルネットワーク情報ストリームの表示アプリケーションシーンを示す模式図である。
【図３】本発明のある例示的な実施例に係るソーシャルネットワーク情報ストリームの表示装置を示すブロック図である。
【図４】本発明のある例示的な実施例に係る別のソーシャルネットワーク情報ストリームの表示装置を示すブロック図である。
【図５】本発明のある例示的な実施例に係る別のソーシャルネットワーク情報ストリームの表示装置を示すブロック図である。
【図６】本発明のある例示的な実施例に係る別のソーシャルネットワーク情報ストリームの表示装置を示すブロック図である。
【図７】本発明のある例示的な実施例に係る別のソーシャルネットワーク情報ストリームの表示装置を示すブロック図である。
【図８】本発明のある例示的な実施例に係る別のソーシャルネットワーク情報ストリームの表示装置を示すブロック図である。
【図９】本発明のある例示的な実施例に係る別のソーシャルネットワーク情報ストリームの表示装置を示すブロック図である。
【図１０】本発明のある例示的な実施例に係る別のソーシャルネットワーク情報ストリームの表示装置を示すブロック図である。
【図１１】本発明のある例示的な実施例に係る別のソーシャルネットワーク情報ストリームの表示装置を示すブロック図である。
【図１２】ある例示的な実施例に係るソーシャルネットワーク情報ストリームの表示装置を示す構成模式図である。
【発明を実施するための形態】
【００３７】
次に、実施例を詳細に説明し、例示が図に示されている。以下の記述が図に係る場合、別途にて示さない限り、異なる図面における同じ符号は、同じまたは類似する要素を示す。以下の実施例に記述される実施形態は、本発明と一致する全ての実施形態を代表するとは限らない。逆に、それらは、添付の特許請求の範囲に記載されているように、本発明の一部の態様と一致する装置および方法の例に過ぎない。
【００３８】
本開示に記載の用語は、特定の実施例を説明する目的で使用されるものに過ぎず、本開示を限定するものではない。本開示及び添付する特許請求の範囲に記載の単数形式の「１種類」、「前記」及び「当該」は、前後の文章においてそれぞれ他の意味を含有すると明確に記載される以外には、複数の形式も含む。なお、本発明に記載の「及び／又は」は、挙げられる事項の1つ又は複数の何れ又は全ての組み合わせを意味する。
【００３９】
また、本開示は、第１、第２、第３等の用語を使って各種の情報を説明するが、それらの情報は上記用語に限定されない。それらの用語は、同一種類の情報同士を区分するためのものに過ぎない。例えば、本発明の範囲から逸脱しない状況で、第１の情報を第２の情報と称しても良い。同じように、第２の情報を第１の情報と称してもよい。ここで使っている用語「……場合」は、文脈の意味によって、「……時」或は「……と」又は「確定に応じる」に解釈されてもよい。
【００４０】
図１に示すように、図１は、ある例示的な実施例に係るソーシャルネットワーク情報ストリームの表示方法を示すフローチャートである。当該方法はサーバに用いられることができ、以下のステップを含む。
【００４１】
ステップ１０１では、ソーシャルネットワークユーザが投稿した情報ストリームには、設定時間帯内に投稿した、設定数以上のターゲット情報が存在しているか否かを判定する。
【００４２】
本発明におけるサーバは、若し、ウェブページにソーシャルネットワークソフトウェア、例えば、マイクロブログを登録すれば、当該サーバがウェブページサーバであり、若し、端末によってソーシャルネットワークソフトウェアのアプリケーション（ＡＰＰｌｉｃａｔｉｏｎ、ＡＰＰ）を登録すれば、当該サーバがＡＰＰサーバである。本発明における端末は、インターネット機能を有する任意のインテリジェント端末、例えば、具体的には携帯電話、タブレットコンピュータ、ＰＤＡ（Ｐｅｒｓｏｎａｌ  Ｄｉｇｉｔａｌ  Ａｓｓｉｓｔａｎｔ）等のものであってもよい。本方法はクライアントにも用いられても良い。
【００４３】
本発明におけるサーバは、ソーシャルネットワークユーザが投稿した情報を予め取得することができる。ここのソーシャルネットワークユーザは、アカウントを登録する主ユーザ及びそのフォローユーザ、すなわち、友達ユーザを含む。情報を取得する方式としては、サーバがリフレッシュ指示を検出し、当該リフレッシュ指示に基づいて各ソーシャルネットワークユーザが投稿した情報を取得しても良い。このような方式は、ユーザが手動でリフレッシュして情報ストリームを更新すること、例えばＷｅＣｈａｔのプルダウンリフレッシュ、マイクロブログの手動リフレッシュ機能設定に対応する。情報を取得する方式としては、サーバが設定時間を隔ててソーシャルネットワークユーザが投稿した情報を自動で取得しても良く、例えば、ＱＱスペースなどであっても良い。前記方式により、サーバは元情報ストリームを取得し、当該原始情報ストリームは、情報を投稿したユーザアカウント（ユーザネーム）、情報を投稿した時間、投稿した情報の内容などを含む。
【００４４】
本発明のステップにおけるターゲット情報を判定する条件のうち、設定時間帯は、例えば１〜３時間とされてもよく、ターゲット情報の設定数は、例えば６つとされても良い。ターゲット情報の設定数は、フォローユーザの数、主ユーザがソーシャルネットワーク情報を閲覧する習慣などの要因に応じて設けられても良い。例を挙げると、主ユーザのフォローユーザが多くければ、情報ストリーム中の総情報数が必ず大きく、このような場合、若し、あるフォローユーザが４、５つの情報を連続して投稿すれば、主ユーザに迷惑をかける可能性があるため、設定数を少なく、例えば４つとしても良い。逆に、フォローユーザが少ない場合、ターゲット情報の設定数を多く、例えば８〜１０つとしても良い。もう１つの例を挙げると、主ユーザが忙しくて、毎日ソーシャルネットワーク情報を閲覧する時間が限られ、ざっと閲覧する可能性があるため、このような場合にも、設定数を少なくしても良い。
【００４５】
ステップ１０２では、ターゲット情報が存在していると判定した場合、所定の規則に従ってターゲット情報をターゲット情報群に集約する。
【００４６】
本発明の実施例では、ターゲット情報が同一のユーザからのものであるか否かに応じて、ターゲット情報を集約しても良いし、ターゲット情報のキーワードに応じて集約しても良い。本発明の実施例では、これらの状況をそれぞれ検討し、かつ、１つのシーンを組み合わせて如何にターゲット情報を集約処理するかについて説明する。仮に主ユーザが複数のフォローユーザａ、ｂ、ｃなどを有する。仮に設定時間帯が１時間、設定数が４つであり、フォローユーザａが６つの情報、すなわち、情報ａ１、ａ２、ａ３、ａ４、ａ５及びａ６を投稿した。そのうち情報ａ１〜ａ５が１時間内の時間帯に投稿されたので、情報ａ１、ａ２、ａ３、ａ４及びａ５はステップ１０１における判定条件を満たしており、ターゲット情報となる。
【００４７】
まず、各ターゲット情報が、同一のユーザが投稿したものに属する状況を検討する。各ターゲット情報の投稿時間の間に、他のユーザが間隔情報を投稿していない場合、ターゲット情報を１つのターゲット情報群に集約する。
【００４８】
このような状況は、当該フォローユーザがこれらのターゲット情報を投稿した時間内に、他のフォローユーザが情報を投稿してこれらのターゲット情報を隔てることはないということを意味する。ここで、他のフォローユーザが投稿した情報を間隔情報と称する。すなわち、複数のターゲット情報の投稿時間が当該情報ストリームにおいて隣接し連続する状況では、当該複数のターゲット情報を１つのターゲット情報群に集約しても良い。
【００４９】
本発明におけるシーンを組み合わせると、すなわち、フォローユーザａがターゲット情報ａ１、ａ２、ａ３、ａ４及びａ５を投稿した時間内に、他のフォローユーザが情報を投稿しておらず、他のフォローユーザが投稿した情報は、何れも投稿時間が最も早いターゲット情報ａ１の前、または投稿時間が最も遅いターゲット情報ａ５の後にある。それでは、ターゲット情報ａ１〜ａ５を１つのターゲット情報群に集約しても良い。
【００５０】
次に、各ターゲット情報が同一のユーザに属しておらず、または、ターゲット情報の投稿時間の間に、他のユーザが情報を投稿した状況を検討する。
【００５１】
第１の状況について、各ターゲット情報の投稿時間の間に、他のユーザが間隔情報を投稿した場合、間隔情報によって隔てられた、２つ以上のターゲット情報をターゲット情報群に集約する。
【００５２】
当該複数のターゲット情報の投稿時間帯に、他のユーザが間隔情報を投稿した場合、間隔情報、すなわち、当該間隔情報の投稿時間によって、当該複数のターゲット情報は分割され、分割された２つ以上の隣接ターゲット情報は、集約処理されても良い。
【００５３】
本発明におけるシーンを組み合わせると、若し、フォローユーザａがターゲット情報ａ１を投稿した時間とａ２を投稿した時間との間に、フォローユーザｂが情報ｂ１を投稿したとすれば、このとき、時間に応じて配列される情報ストリームは、ａ１、ｂ１、ａ２、ａ３、ａ４及びａ５となる。情報ｂ１の前にはフォローユーザａが１つのターゲット情報ａ１のみを投稿したので、集約することができないため、ターゲット情報ａ１を処理しておらず、情報ｂ１を投稿した後でフォローユーザａが４つのターゲット情報ａ２〜ａ５を投稿したので、ターゲット情報ａ２〜ａ５を１つのターゲット情報群に集約しても良い。
【００５４】
若し、フォローユーザａがターゲット情報ａ２を投稿した時間とａ３を投稿した時間との間に、フォローユーザｂが情報ｂ１を投稿したとすれば、このとき、時間に応じて配列される情報ストリームは、ａ１、ａ２、ｂ１、ａ３、ａ４及びａ５となる。情報ｂ１を投稿する前におけるターゲット情報が２つあり、情報ｂ１を投稿した後におけるターゲット情報が３つあり、何れも２つよりも多いため、ターゲット情報ａ１〜ａ２、ａ３〜ａ５をそれぞれ集約処理して、２つのターゲット情報群を取得することができる。
【００５５】
第２の状況について、ターゲット情報が２以上のユーザによって投稿したものであり、かつ、異なるユーザからの少なくとも２群のターゲット情報が交互に投稿された場合、所属ユーザの違いによって、ターゲット情報をターゲット情報群にそれぞれ集約する。
【００５６】
本発明におけるシーンを組み合わせると、若し、フォローユーザｂが、ターゲット情報ａ１が投稿された時間とａ２が投稿された時間との間に、情報ｂ１を投稿し、ターゲット情報ａ２が投稿された時間とａ３が投稿された時間との間に、情報ｂ２を投稿し、ターゲット情報ａ３が投稿された時間とａ４が投稿された時間との間に、情報ｂ３を投稿したとすれば、このとき、時間に応じて配列される情報ストリームは、ａ１、ｂ１、ａ２、ｂ２、ａ３、ｂ３、ａ４及びａ５となる。上述から分かるように、フォローユーザｂが投稿した情報ｂ１〜ｂ３もターゲット情報であり、かつ、フォローユーザａ及びフォローユーザｂが少なくとも２群のターゲット情報を交互に投稿し、このような場合、投稿ユーザの違いによって、ターゲット情報ａ１〜ａ５及びターゲット情報ｂ１〜ｂ３をそれぞれ集約処理する。
【００５７】
若し、ターゲット情報ａ３が投稿された時間とａ４が投稿された時間との間に、ユーザｂが情報ｂ３を投稿しておらず、ターゲット情報ａ４が投稿された時間とａ５が投稿された時間との間に、ユーザｃが情報ｃ１を投稿したとすれば、このとき、時間に応じて配列される情報ストリームは、ａ１、ｂ１、ａ２、ｂ２、ａ３、ａ４、ｃ１及びａ５となる。それでは、ターゲット情報ａ１、ａ２、ａ３及びａ４を１つのターゲット情報群に集約し、ターゲット情報ｂ１及びｂ２を１つのターゲット情報群に集約し、情報ｃ１によって隔てられた情報ａ５を集約処理しない。
【００５８】
最後に、ターゲット情報のキーワード及び属性分類に基づいて、ターゲット情報を集約する状況を検討する。
【００５９】
このような場合、先ず、ターゲット情報中のキーワードを抽出しても良く、当該キーワードは、当該情報に出現する周波数が最も高い１つまたは複数の言葉であっても良い。次に、抽出されたキーワードに基づいて、予め設けられた属性データベースを検索し、ターゲット情報の属性分類を特定する。最後に、ターゲット情報のうち同一の属性分類に属する２つ以上のターゲット情報を集約する。
【００６０】
さらに、キーワードのみに基づいてターゲット情報を集約処理しても良い。例えば、ある日またはある時間帯に大半のユーザが柴静の『穹頂の下』を転送したため、そのキーワードまたは属性分類が同じであり、このような場合、これらの情報を集約しても良い。
【００６１】
ステップ１０３では、ターゲット情報群を表示する。
【００６２】
ターゲット情報群については、２つ以上のターゲット情報を含むため、大量の画面を占める課題を解決するために、本発明では、ターゲット情報群における全ての情報を表示しなく、当該表示方式に対して一部の改善を行った。
【００６３】
本発明のステップにおける表示方式としては、ターゲット情報群のうち最近投稿した最新ターゲット情報のキーポイント情報、例えば要約、キーワード、または所属の属性分類を抽出しても良いし、最新ターゲット情報の要約またはキーワードを表示情報として、最新ターゲット情報以外の他のターゲット情報を折り畳みまたは非表示しても良いし、最新ターゲット情報の投稿時間をターゲット情報群の投稿時間としても良いし、ターゲット情報群を表示し、かつ、集約されていない情報をも表示し、ターゲット情報群及び集約されていない情報を投稿時間順に表示しても良い。
【００６４】
このような表示方式が適用されるシーンは、内容を大量に投稿することが好きで、例えば、自分の一日の生活状態を記録し、または各種のスレッドを転送することが好きであることを含む。このような場合、要約またはキーワードのみを表示すれば、他のユーザはその投稿内容を具体的に見るか否かを理解することができる。このような表示方式が適用されるシーンは、さらに、フォローユーザが多くの場合に一部の特定分野の情報のみを投稿し、このような場合、当該ターゲット情報群のキーワードまたは属性分類のみを表示すれば、他のユーザがその投稿内容を明瞭に理解することができることを含む。例えば、マイクロブログ、ＷｅＣｈａｔで商品を商売するユーザが、商品の画像及びテキストを大量に投稿すれば、このような購買ニーズを一時に有しない友達に対して迷惑をかけて、ひいてはシールドされる可能性があるが、それと同時に、当該ユーザをシールドする友達は有用の物品をミスする可能性もある。売り手が投稿する物品が一般的には同類商品、例えば、ジュエリー類、Ｍｏｔｈｅｒ  ＆  Ｂａｂｙ類などであるため、集約によって、これらのターゲット情報のキーワードまたは属性分類のみを表示することで、その友達は投稿商品を理解できるだけではなく、多くの画像及びテキストにより迷惑をかけられることはない。
【００６５】
本発明のステップにおける表示方式としては、さらに、ターゲット情報群のうち最近投稿した最新ターゲット情報を表示情報として、最新ターゲット情報以外の他のターゲット情報を折り畳みまたは非表示しても良いし、最新ターゲット情報の投稿時間をターゲット情報群の投稿時間としても良いし、ターゲット情報群及び集約処理されていない情報を投稿時間順に表示しても良い。
【００６６】
このような表示方式が適用されるシーンは、例えば、各種の内容を大量に投稿し、各種のスレッドを転送することが好きであり、このような場合、１つの最新のターゲット情報のみを表示すれば、他のユーザがそのユーザの更新を理解できることを含む。
【００６７】
ユーザがウェブページ、クライアントまたは他の手段によってソーシャルネットワークアカウントを登録することを問わず、それが投稿した情報は何れも対応的に１つの表示領域を有し、当該表示領域には、さらに、当該情報が所属するユーザのユーザネームが表示されてもよく、当該情報の投稿時間が当該情報を投稿した具体的な時間点であっても良いし、おおよその時間、例えば、一日前、１時間前などであっても良く、さらに、当該情報の投稿源、例えばｉＰｈｏｎｅ（登録商標）が表示されても良く、これにより、ユーザがｉＰｈｏｎｅによって当該情報を投稿した、ユーザが３６０ブラウザによって当該情報を投稿したなどといったことを表明する。
【００６８】
前記表示方式では、ターゲット情報群における一部の情報を表示情報とし、他の情報を折り畳み処理または非表示処理する。さらに、当該ターゲット情報群に含まれている情報の数を表示内容としても良い。さらに、前記表示方式を組み合わせても良い。かつ、ターゲット情報群の表示領域には、「表示展開」などをプロンプトするための機能オプションを設けても良い。ユーザが当該「表示展開」の標識をクリックすると、折り畳みまたは非表示されている全てのターゲット情報が表示される。また、各情報については、その表示領域に、「転送」、「評論」、「編集」、「いいね」、「お気に入り」及び「返事」などの機能オプションをユーザの操作のため設けても良い。
【００６９】
図２Ａは、本発明のある例示的な実施例に係るソーシャルネットワーク情報ストリームの表示アプリケーションシーンを示す模式図である。図２Ａに示すアプリケーションシーンには、端末及びサーバが含まれている。端末を具体的にスマートフォンとし、ソーシャルネットワークソフトウェアをＷｅＣｈａｔとし、当該スマートフォンにＷｅＣｈａｔのＡＰＰクライアントを内蔵し、サーバをＷｅＣｈａｔサーバとする。
【００７０】
図２Ｂは、本発明のある例示的な実施例に係るソーシャルネットワーク情報ストリームの表示アプリケーションシーンを示す模式図である。図２Ｂに示すように、ＷｅＣｈａｔＡＰＰクライアントはユーザ登録を検出し、かつ、ユーザのプルダウンリフレッシュ操作を検出した後、ＷｅＣｈａｔサーバから当該ユーザ及びそのフォローユーザが投稿した情報ストリームを取得し、具体的には、前回情報ストリームを取得した時間の後でユーザが投稿した情報ストリームを取得する。取得した情報ストリームについて、ＡＰＰクライアントは、設定時間帯内に投稿した、設定数以上の情報、すなわち、ターゲット情報が存在しているか否かを判定し、ここでは、仮に設定時間帯が２時間、設定数が５つとされる。ＡＰＰクライアントは、１．５時間内に投稿した６つの情報、すなわち、ターゲット情報が存在し、かつ、これらの情報が何れもユーザＴＩＮＡからのものであると判定したため、当該６つのターゲット情報を１つのターゲット情報群に集約し、かつ、最近投稿した情報を当該ターゲット情報群の表示情報とする。ＡＰＰクライアントは、さらに、２時間内に投稿した５つの情報が存在し、何れもユーザの天ママからのものであると判定し、ターゲット情報のキーワードを抽出した結果、キーワードの大半が同じであることを見出すため、最近投稿した１つのターゲット情報のキーワード「教育」、「育児」及び「Ｍｏｔｈｅｒ  ＆  Ｂａｂｙ」をターゲット情報群の表示情報とし、他の情報を非表示及び折り畳み処理する。かつ、さらに、マウスを展開の標識に置くと、いくつの情報を非表示したかを表示できるように設けてもよく、例えば、図２Ｂには、「５つの非表示情報」が表示され、それから、ターゲット情報群のうち最近投稿したターゲット情報の投稿時間をターゲット情報群の投稿時間とし、ターゲット情報群及び情報ストリームのうち処理されていない情報、すなわち、ユーザのＩＰ小白が投稿した情報を表示する。
【００７１】
図２Ａ及び図２Ｂに示すアプリケーションシーンでは、ソーシャルネットワーク情報ストリーム表示を実現する具体的な手順は、上記図１に対する記述を参照しても良く、ここでは再び説明しない。
【００７２】
前記ソーシャルネットワーク情報ストリームの表示方法の実施例と対応的に、本発明は、ソーシャルネットワーク情報ストリームの表示装置及びそれを用いたサーバの実施例をさらに提供する。
【００７３】
図３に示すように、図３は、本発明のある例示的な実施例に係るソーシャルネットワーク情報ストリームの表示装置を示すブロック図である。当該装置は、ターゲット情報判定モジュール３１０と、集約モジュール３２０と、表示モジュール３３０とを備える。
【００７４】
ターゲット情報判定モジュール３１０は、ソーシャルネットワークユーザが投稿した情報ストリームには、設定時間帯内に投稿した、設定数以上のターゲット情報が存在しているか否かを判定するように構成される。
【００７５】
集約モジュール３２０は、ターゲット情報が存在していると判定モジュール３１０が判定した場合、所定の規則に従って前記ターゲット情報をターゲット情報群に集約するように構成される。
【００７６】
表示モジュール３３０は、集約モジュール３２０により集約されたターゲット情報群を表示するように構成される。
【００７７】
前記実施例では、サーバまたはクライアントは、取得されたソーシャルネットワーク情報ストリームに対して、満足条件、すなわち、設定時間帯内に投稿した、設定数以上のターゲット情報が存在しているか否かを判定し、ターゲット情報が存在していると判定した場合、所定の規則に従ってターゲット情報をターゲット情報群に集約してから、ターゲット情報群を表示する。ターゲット情報をターゲット情報群に集約することにより、ユーザが短時間内に情報を大量に投稿した場合、多くの表示画面を占め、他のユーザに迷惑をかけるという課題を解決し、ユーザの体験が向上及び改善される。
【００７８】
図４に示すように、図４は、本発明のある例示的な実施例に係る別のソーシャルネットワーク情報ストリームの表示装置を示すブロック図である。当該実施例では、前記図３に示す実施例を基に、集約モジュール３２０は、第１の判定サブモジュール３２１と、第２の判定サブモジュール３２２と、集約サブモジュール３２３とをさらに備えても良い。
【００７９】
第１の判定サブモジュール３２１は、ターゲット情報が、同一のユーザが投稿したものに属するか否かを判定するように構成される。
【００８０】
第２の判定サブモジュール３２２は、ターゲット情報が、同一のユーザが投稿したものに属すると判定された場合、各ターゲット情報の投稿時間の間には、他のユーザが間隔情報を投稿したか否かを判定するように構成される。
【００８１】
集約サブモジュール３２３は、第２の判定サブモジュール３２２による間隔情報を投稿したか否かの判定結果に応じて、ターゲット情報をターゲット情報群に集約するように構成される。
【００８２】
前記実施例では、サーバまたはクライアントは、ターゲット情報が、同一のユーザが投稿したものに属するか否かを判定し、ターゲット情報の投稿時間内に他のユーザが間隔情報を投稿したか否かを判定し、かつ、判定結果の違いによって、ターゲット情報を集約する。
【００８３】
図５に示すように、図５は、本発明のある例示的な実施例に係る別のソーシャルネットワーク情報ストリームの表示装置を示すブロック図である。当該実施例では、前記図４に示す実施例を基に、当該集約サブモジュール３２３は、第１の集約サブモジュール３２３１と、第２の集約サブモジュール３２３２とを備える。
【００８４】
第１の集約サブモジュール３２３１は、他のユーザが間隔情報を投稿していないと第２の判定サブモジュール３２２が判定した場合、ターゲット情報を１つのターゲット情報群に集約するように構成される。
【００８５】
第２の集約サブモジュール３２３２は、他のユーザが間隔情報を投稿したと第２の判定サブモジュール３２２が判定した場合、間隔情報によって隔てられた、２つ以上のターゲット情報をターゲット情報群に集約するように構成される。
【００８６】
前記実施例では、ターゲット情報の投稿時間内に、他のユーザが間隔情報を投稿していない場合、ターゲット情報を１つのターゲット情報群に集約すれば良く、間隔情報を投稿した場合、間隔情報によって隔てられた２つ以上のターゲット情報をターゲット情報群に集約する。これによって、間隔情報が存在している場合、若し、間隔情報によって隔てられたターゲット情報を集約すれば、ターゲット情報群の投稿時間を特定することが容易ではなく、ターゲット情報群と間隔情報の配列順序を特定することが容易ではないという課題がある。
【００８７】
図６に示すように、図６は、本発明のある例示的な実施例に係る別のソーシャルネットワーク情報ストリームの表示装置を示すブロック図である。当該実施例では、前記図３に示す実施例を基に、集約モジュール３２０は、第１の判定サブモジュール３２４と、投稿方式特定サブモジュール３２５と、集約サブモジュール３２６とを備えても良い。
【００８８】
第１の判定サブモジュール３２４は、ターゲット情報が、同一のユーザが投稿したものに属するか否かを判定するように構成される。
【００８９】
投稿方式特定サブモジュール３２５は、前記ターゲット情報が、同一のユーザが投稿したものに属しないと第１の判定サブモジュール３２４が判定した場合、ターゲット情報の投稿方式を特定するように構成される。
【００９０】
集約サブモジュール３２６は、少なくとも異なる２ユーザから前記ターゲット情報が交互に投稿されたと投稿方式特定サブモジュール３２５が特定した場合、所属ユーザの違いによって、ターゲット情報をターゲット情報群にそれぞれ集約するように構成される。
【００９１】
前記実施例では、ターゲット情報群のソースを明瞭にするために、サーバまたはクライアントは、異なるユーザが投稿したターゲット情報をそれぞれ集約する。
【００９２】
図７に示すように、図７は、本発明のある例示的な実施例に係る別のソーシャルネットワーク情報ストリームの表示装置を示すブロック図である。当該実施例では、前記図３に示す実施例を基に、集約モジュール３２０は、キーワード抽出サブモジュール３２７と、属性分類特定サブモジュール ３２８と、集約サブモジュール３２９とを備えても良い。
【００９３】
キーワード抽出サブモジュール３２７は、各前記ターゲット情報中の少なくとも１つのキーワードを抽出するように構成される。
【００９４】
属性分類特定サブモジュール３２８は、キーワード抽出サブモジュール３２７により抽出されたキーワードに基づいて、ターゲット情報の属性分類を特定するように構成される。
【００９５】
集約サブモジュール３２９は、属性分類特定サブモジュール３２８により特定された属性分類の違いによって、同一の属性分類に属する２つ以上のターゲット情報をターゲット情報群に集約するように構成される。
【００９６】
前記実施例では、サーバまたはクライアントは、ターゲット情報中のキーワードを抽出し、かつ、キーワードに基づいて、ターゲット情報の属性分類を特定してから、属性分類の違いによって、ターゲット情報をそれぞれ集約する。ターゲット情報を属性分類に基づいて集約することにより、ユーザは興味がある分野の情報を便利に見ることができ、他の興味がない情報から影響されない。
【００９７】
図８に示すように、図８は、本発明のある例示的な実施例に係る別のソーシャルネットワーク情報ストリームの表示装置を示すブロック図である。当該実施例では、前記図３に示す実施例を基に、表示モジュール３３０は、キーポイント情報抽出サブモジュール３３１と、情報処理サブモジュール３３２と、投稿時間特定サブモジュール３３３と、第１の表示サブモジュール３３４とを備えても良い。
【００９８】
キーポイント情報抽出サブモジュール３３１は、ターゲット情報群のうち最近投稿した最新ターゲット情報のキーポイント情報を抽出するように構成される。
【００９９】
情報処理サブモジュール３３２は、キーポイント情報抽出サブモジュール３３１により抽出された最新ターゲット情報のキーポイント情報を表示情報として、最新ターゲット情報以外の他のターゲット情報を折り畳みまたは非表示するように構成される。
【０１００】
投稿時間特定サブモジュール３３３は、最新ターゲット情報の投稿時間をターゲット情報群の投稿時間とするように構成される。
【０１０１】
第１の表示サブモジュール３３４は、ターゲット情報群を投稿時間順に表示するように構成される。
【０１０２】
キーポイント情報抽出サブモジュール３３１により抽出されたキーポイント情報は、ターゲット情報の要約、またはキーワード、または所属の属性分類を含む。
【０１０３】
前記実施例では、サーバまたはクライアントは、ターゲット情報群及び集約されていない情報の表示方式をも改善しており、最近投稿したターゲット情報のキーポイント情報のみを表示し、他の情報を折り畳みまたは非表示することにより、ターゲット情報群が占める画面スペースを有効に節約することができ、「スパム」が他のユーザに迷惑をかけることはないし、要約キーワードなどの情報のみを表示するため、レイアウトの配置がより合理で美観となり、他のユーザがターゲット情報群を選択的に展開して見るか否かのことが便利となる。
【０１０４】
図９に示すように、図９は、本発明のある例示的な実施例に係る別のソーシャルネットワーク情報ストリームの表示装置を示すブロック図である。当該実施例では、前記図３に示す実施例を基に、表示モジュール３３０は、情報処理サブモジュール３３５と、投稿時間特定サブモジュール３３６と、第１の表示サブモジュール３３７とを備えても良い。
【０１０５】
情報処理サブモジュール３３５は、ターゲット情報群のうち最近投稿した最新ターゲット情報を表示情報とし、最新ターゲット情報以外の他のターゲット情報を折り畳みまたは非表示するように構成される。
【０１０６】
投稿時間特定サブモジュール３３６は、最新ターゲット情報の投稿時間をターゲット情報群の投稿時間とするように構成される。
【０１０７】
第１の表示サブモジュール３３７は、ターゲット情報群を、投稿時間特定サブモジュール３３６により特定された投稿時間順に表示するように構成される。
【０１０８】
前記実施例では、ターゲット情報群のうち最近投稿した情報の内容が多くない場合、当該最新ターゲット情報の全ての内容を表示し、他のターゲット情報を折り畳みまたは非表示することで、他のユーザが最新ターゲット情報の全ての内容を見ることができる。図１０に示すように、図１０は、本発明のある例示的な実施例に係る別のソーシャルネットワーク情報ストリームの表示装置を示すブロック図である。当該実施例では、前記図７、８または９に示す実施例を基に、当該装置は、表示情報特定モジュール３４０をさらに備えても良い。
【０１０９】
表示情報特定モジュール３４０は、前記ターゲット情報群に含まれているターゲット情報の数を表示情報とするように構成される。
【０１１０】
図１１に示すように、図１１は、本発明のある例示的な実施例に係る別のソーシャルネットワーク情報ストリームの表示装置を示すブロック図である。当該実施例では、前記図３に示す実施例を基に、当該表示モジュール３３０は、第２の表示サブモジュール３３８をさらに備える。
【０１１１】
第２の表示サブモジュール３３８は、情報ストリームのうち集約されていない情報を表示するように構成される。
【０１１２】
前記実施例では、さらに、ターゲット情報群に含まれているターゲット情報の数を表示しても良く、これによって、他のユーザが当該数情報に基づいて、展開して見るか否かを決定することができる。
【０１１３】
前記ソーシャルネットワーク情報ストリームの表示方法の実施例と対応的に、本発明は、ソーシャルネットワーク情報表示装置の実施例をさらに提供する。
【０１１４】
前記装置における各手段の機能及び作用の実現手順については、具体的に前記方法における対応のステップの実現手順を参照し、ここでは再び説明しない。
【０１１５】
装置実施例が基本的に方法実施例に対応するため、関連箇所は方法実施例の説明部分を参照のこと。以上に記載の装置実施例は単に模式的なものに過ぎず、分離部材として説明される手段は、物理で分離されるものであっても良いし、物理で分離されるものではなくも良く、手段として表示する部材は、物理部材であっても良いし、物理部材ではなくも良く、すなわち、１つの場所にあっても良いし、複数のネットワーク手段に分布されても良い。実際の必要に応じて、そのうちの一部または全部のモジュールを選択して本発明の技術案の目的を実現しても良い。当業者は創造的な労働をしていない前提で、本発明を理解且つ実施することができる。
【０１１６】
対応的に、本発明はサーバをさらに提供する。前記サーバは、プロセッサと、プロセッサが実行可能な指令を記憶するメモリと、を備え、前記プロセッサは、ソーシャルネットワークユーザが投稿した情報ストリームには、設定時間帯内に投稿した、設定数以上のターゲット情報が存在しているか否かを判定し、前記ターゲット情報が存在していると判定した場合、所定の規則に従って前記ターゲット情報をターゲット情報群に集約し、前記ターゲット情報群を表示するように構成される。
【０１１７】
図１２に示すように、図１２は、ある例示的な実施例に係る別のソーシャルネットワーク情報ストリームの表示装置１２００を示す構成模式図である。例えば、装置１２００はサーバとして提供されても良いし、クライアントとして提供されても良い。図１を参照すると、装置１２００は、１つまたは複数のプロセッサがさらに含まれた処理ユニット１２２２と、処理ユニット１２２２により実行可能な命令、例えばアプリケーションプログラムを記憶するメモリ１２３２を代表とするメモリリソースとを含む。メモリ１２３２に記憶されたアプリケーションプログラムは、１つ以上のそれぞれが１セットの命令に対応するモジュールを含んでもよい。また、前記表示ソーシャルネットワーク情報ストリームの方法を実行するために、処理ユニット１２２２は命令を実行するように構成される。
【０１１８】
装置１２００は、装置１２００の電源管理を実行するように配置された電源ユニット１２２６と、装置１２００をインターネットに接続させるように配置された有線又は無線ネットワークインタフェース１２５０と、入力／出力（Ｉ／Ｏ）インタフェース１２５８とを備えてもよい。装置１２００はメモリ１２３２に記憶されたオペレーティングシステム、例えばＷｉｎｄｏｗｓ（登録商標） ＳｅｒｖｅｒＴＭ、Ｍａｃ ＯＳ ＸＴＭ、Ｕｎｉｘ（登録商標）ＴＭ, Ｌｉｎｕｘ（登録商標）ＴＭ、ＦｒｅｅＢＳＤＴＭなどに基づいて操作できる。
【０１１９】
当業者は、明細書に対する理解、及び明細書に記載された発明に対する実施を介して、本発明の他の実施形態を容易に取得することができる。本発明は、本発明に対する任意の変形、用途、又は適応的な変化を含み、このような変形、用途、又は適応的な変化は、本発明の一般的な原理に従い、本発明では開表していない本技術分野の公知知識、又は通常の技術手段を含む。明細書及び実施例は、単に例示的なものであって、本発明の本当の範囲と主旨は、以下の特許請求の範囲によって示される。
【０１２０】
本発明は、以上で記述され、且つ図面で図表した特定の構成に限定されず、その範囲を離脱しない状況で、様々な修正や変更を実施してもよい。本発明の範囲は、添付される特許請求の範囲のみにより限定される。
【０１２１】
本願は、出願番号が２０１５１０２０９６２０．０であって、出願日が２０１５年４月２８日である中国特許出願に基づき優先権を主張し、当該中国特許出願の内容の全てを本願に援用する。
【図１】
0006286104.tif 000002
【図２Ａ】
0006286104.tif 000003
【図２Ｂ】
0006286104.tif 000004
【図３】
0006286104.tif 000005
【図４】
0006286104.tif 000006
【図５】
0006286104.tif 000007
【図６】
0006286104.tif 000008
【図７】
0006286104.tif 000009
【図８】
0006286104.tif 000010
【図９】
0006286104.tif 000011
【図１０】
0006286104.tif 000012
【図１１】
0006286104.tif 000013
【図１２】
0006286104.tif 000014